(57)【要約】      （修正有）【課題】見方に応じて種々の模様が出現し、回したり動かしたりして干渉縞（モアレ）を楽しむことができる構造体を提供する。【解決手段】透明な周壁３を有する基部と、周壁を覆う第１パターンを有する第１模様層５と、第１模様層を覆う第２パターンを有する第２模様層６と、を具備する。構造体は、小物入れ、ランプシェード、食器（酒器、コップなど）を含む。第１パターン及び第２パターンは、色違いの同じ柄であり、柄が重なり合うように配置されていてもよい。また、第１パターン及び第２パターンが幾何学模様、イラストレーション、キャラクターデザイン等であってもよい。【選択図】図２
0003221367.tif 000002
【実用新案登録請求の範囲】
【請求項１】
透明な周壁を有する基部と、
前記周壁を覆う第１パターンを有する第１模様層と、
前記第１模様層を覆う第２パターンを有する第２模様層と、
を具備することを特徴とする構造体。
【請求項２】
前記第１パターン及び前記第２パターンは、色違いの同じ柄であり、柄が重なり合うように配置されていること、
を特徴とする請求項１に記載の構造体。
【請求項３】
前記第１パターン及び前記第２パターンは、幾何学模様、イラストレーション及びキャラクターデザインのうち少なくとも１つであること、
を特徴とする請求項２に記載の構造体。
【考案の詳細な説明】
【技術分野】
【０００１】
本考案は、小物入れ又はランプシェードのような構造体に関する。
【背景技術】
【０００２】
例えば江戸小紋の模様のような精緻な模様をあしらった様々な小物入れなどの構造体が提供されている。しかし、出願人の知る限り、見る方向に応じて光の加減で種々の模様が出現するような構造体を開示する特許文献は見当たらない。
【考案の概要】
【考案が解決しようとする課題】
【０００３】
そこで、本考案は、見方に応じて種々の模様が出現するような構造体を提供することを目的とする。
【課題を解決するための手段】
【０００４】
かかる課題を解決するため、本考案は、透明な周壁を有する基部と、前記周壁を覆う第１パターンを有する第１模様層と、前記第１模様層を覆う第２パターンを有する第２模様層と、を具備することを特徴とする構造体を提供する。第１パターンを有する第１模様層及び第２パターンを有する第２模様層は、それぞれ透明箇所を含んでいるのが好ましい。ここで構造体は、小物入れ及びランプシェードを含む。
【０００５】
かかる構成を有する本考案の構造体では、例えば、前記第１パターン及び前記第２パターンが、色違いの同じ柄であり、柄が重なり合うように配置されていてもよい。
【０００６】
また、かかる構成を有する本考案の構造体では、例えば、前記第１パターン及び前記第２パターンが幾何学模様、イラストレーション及びキャラクターデザインのうち少なくとも１つであってもよい。
【考案の効果】
【０００７】
本考案によれば、見方に応じて種々の模様が出現するような構造体を提供することができる。したがって、ユーザーは、この構造体を回したり動かしたりしながら見ることで、干渉縞（モアレ）を楽しむことができる。
【図面の簡単な説明】
【０００８】
【図１】本考案の実施形態に係る構造体の一例としての小物入れ１を示す斜視図である。
【図２】図１の小物入れ１において容器２の周壁３に模様層５，６を積層する手順の一例を示す図である。
【図３】本実施形態において採用し得る他の模様例を示す図である。
【考案を実施するための形態】
【０００９】
以下、本考案の代表的な実施形態に係る構造体の一例としての小物入れについて、図面を参照しながら詳細に説明する。なお、図面は、本考案を概念的に説明するためのものであるから、理解容易のために、必要に応じて寸法、比又は数を誇張又は簡略化して表している場合もあり、本考案はこれらのみに限定されるものではない。
【００１０】
本実施形態に係る小物入れ１は、図１に示すように、基部の一例としての容器２、及び模様層５，６を含んでいる。ここでは、小物入れ１は、枡のような形状を有しているが、本考案はこのような形状に限られない。また、小物入れ１は、容器２の開口部を覆う蓋を有していてもよい。
【００１１】
容器２は、図２に示すように、透明な周壁３と、周壁３の下端を閉塞する底部４と、を有する。底部４は、周壁３と一体的に形成されてもよい。底部４は、本実施形態では透明であるが、本考案としては透明でなくてもよい。ここで透明とは、周壁３が光の透過性を有していることを意味し、例えば摺りガラスのように半透明であることを含む。また、無色透明に限られず、着色された透明でもよい。
【００１２】
本実施形態では、容器２の材質として、アクリル等の樹脂を想定しているが、容器２は例えばガラスのような他の材料で製作されてもよい。また、ここでは、容器２は、例えば１０ｍｍのように一定の厚みを有しているが、部位によって異なる厚みを有していてもよい。
【００１３】
周壁３の外周面には、少なくとも２層の模様層５，６が積層されている。これら模様層５，６はそれぞれ第１及び第２模様層に相当する。本実施形態では、模様層５，６は周壁３のほぼ全面を覆っているが、周壁３を部分的に覆っていてもよい。
【００１４】
具体的に説明すると、模様層５，６の材料として、例えば、ラッカー、ウレタン、アクリル系、ミラー塗料等の塗料、漆、箔が挙げられるが、これらに限られない。また、模様層５，６の積層手法としては、例えば塗布、印刷、フィルム・シート又は板の貼付が適用可能であるが、これらに限られない。例えば、これらにクリヤーラッカーを仕上げに吹き、塗料を定着させてもよい。また、模様層５，６と一体となったフィルムやシートでもよいし、模様層５，６の表裏一体印刷されたフィルムやシールでもよい。
【００１５】
模様層５は、周壁３の外周面を覆い、模様層６は、模様層５の外面を覆っている。周壁３と模様層５との間には無模様の層が介在してもよく、模様層５，６の間には無模様の層が介在してもよい。
【００１６】
ここで、模様層５は、透明箇所を含むパターン５Ａ（第１パターン）を有し、模様層６は、透明箇所を含むパターン６Ａ（第２パターン）を有する。本実施形態では、パターン５Ａ，６Ａとして、例えば図２のように色違いの同じ柄を想定しているが、同一色の同一柄でもよいし、同一色の別柄でもよい。また、パターン５Ａ，６Ａは、柄の全部又は一部分が重なるように配置されることが好ましいが、本考案としてはこれに限られない。
【００１７】
パターン５Ａ，６Ａの柄の例としては、三角形、四角形、六角形などの多角形や円、楕円、直線などの単純な図形要素を部品とし、これら部品に平行移動、反転、回転、色の変化、拡大・縮小、分割などの操作を加えながら連続して組み合わせ配列を展開して作った模様、つまり幾何学模様が挙げられる。具体的には、図１に示す市松模様、又は、図３（Ａ）〜（Ｄ）に示すような円、水玉模様若しくはＴ字の繰り返し等がある。その他、会社等の団体のロゴマーク、映画やアニメーションのキャラクターデザイン、イラストレーションのように、幾何学模様以外の模様でもよい。
【００１８】
このような構成を有する小物入れ１では、見る角度によって、また収納する物によっても、光の加減で様々な異なる模様を出現することができる。したがって、実用品として有用であるだけでなく、鑑賞用としても有用である。
【００１９】
特に、模様層５，６のパターン５Ａ，６Ａが色違いの異なる柄である場合には、周壁３の表面及び模様層５，６における光の干渉や反射によって、観察者からは、パターン５Ａ，６Ａがより複雑に見えるとともに、見る角度によって変化する。したがって、パターン５Ａ，６Ａが例えば市松模様のように比較的シンプルな模様である場合でも、小物入れ１の意匠性及び鑑賞性を高めることができる。
【００２０】
次いで、本実施形態の変形例に係るランプシェードを説明する。
ランプシェードは、スマートフォンのライトを覆うように当該スマートフォンに着脱自在に装着される。このランプシェードは、スマートフォンのライトを覆う傘部（基部）、及び、傘部を覆うように積層された少なくとも２層の模様層を含む。ここで、少なくとも２層の模様層は、各々、上述したパターンを有している。
【００２１】
このようなランプシェードでは、スマートフォンのライトが点灯すると、傘部の表面及び模様層における光の反射並びに模様層のパターンによる光の遮蔽によって、模様層のパターンがより複雑に見えるとともに、見る角度によって変化する。したがって、ランプシェードの意匠性及び鑑賞性を高めることができる。
なお、かかるランプシェードは、スマートフォンだけでなく携帯電話などの携帯端末に応用できるし、各種電球や照明器具全般にも適用可能である。
【００２２】
以上、本考案の代表的な実施形態について説明したが、本考案はこれらのみに限定されるものではなく、種々の設計変更が可能であり、かかる設計変更した態様も全て本考案の技術的範囲に含まれる。
【００２３】
例えば、模様層は２層である必要はなく、３層以上でもよい。また、周壁３の内周面に模様層を積層してもよい。また、容器２の底部４に模様層を積層してもよい。
また、容器２への模様の形成は、塗装に限られず、例えば、切削機械でアクリルの表面を削りブラスト処理することでおこなってもよい。
構造体は、酒器、コップなどの食器として構成することも可能である。
【符号の説明】
【００２４】
１・・・小物入れ、
２・・・容器、
３・・・周壁、
４・・・底部、
５，６・・・模様層。
【図１】
0003221367.tif 000003
【図２】
0003221367.tif 000004
【図３】
0003221367.tif 000005